【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
方法であって、
コンピューティング装置が、複数の対話型要素を含む第１のユーザ・インターフェースを、ユーザへの提示のために提供する工程と、
該コンピューティング装置が、該複数の対話型要素のうちの１つを選択する第１のユーザ入力を受信する工程と、
該コンピューティング装置が、該複数の対話型要素のうちの選択された１つの対話型要素とのユーザの対話のレベルを判定する工程であって、ユーザの対話の前記レベルが前記第１のユーザ入力と該複数の対話型要素のうちの１つを選択する以前のユーザ入力との間の時間を含む、前記判定する工程と、
該コンピューティング装置が、該第１のユーザ入力に応答して、該複数の対話型要素のうちの選択された１つの対話型要素に関連付けられたアニメーションをユーザへの提示のために提供する工程と、
該コンピューティング装置が、前記第１のユーザ入力と前記以前のユーザ入力との間の時間が所定の閾値を下回ることを決定する工程と、
該コンピューティング装置が、前記所定の閾値を下回る前記第１のユーザ入力と前記以前のユーザ入力との間の時間に応答して、前記複数の対話型要素のうちの選択された１つの対話型要素上で第２のユーザ入力を実行するためのユーザに対する指示を提示することを決定する工程と、
該コンピューティング装置が、該複数の対話型要素のうちの該選択された１つの対話型要素上でユーザによって実行された前記第２のユーザ入力を受信する工程と、
該コンピューティング装置が、該第２のユーザ入力に応答して、該複数の対話型要素のうちの該選択された１つに関連付けられた、前記第１のユーザ・インターフェースとは異なる第２のユーザ・インターフェースをユーザへの提示のために提供する工程と
を含む方法。
【請求項２】
前記第１のユーザ・インターフェースが、
ホーム画面、
ロック画面、
起動画面、または
アプリケーション
のうちの１つまたは複数に関連付けられている、請求項１に記載の方法。
【請求項３】
前記第１のユーザ・インターフェースが、ロック画面に関連付けられており、前記第２のユーザ・インターフェースが、前記複数の対話型要素のうちの前記選択された１つに関連付けられたアプリケーションに関連付けられている、請求項１に記載の方法。
【請求項４】
前記コンピューティング装置が、前記第２のユーザ入力に応答して、パスワード・エントリ・インターフェースを、ユーザへの提示のために提供する工程をさらに含み、前記第２のユーザ・インターフェースが、ユーザが事前に決めておいたパスワードを入れることに応答してユーザへの提示のために提供される、請求項３に記載の方法。
【請求項５】
前記アニメーションが、前記複数の対話型要素のうちの前記選択された１つをフリップすることを含み、フリップした対話型要素が、ユーザに対する前記コンピューティング装置に入力を提供するための命令を含む、請求項１に記載の方法。
【請求項６】
前記第１のユーザ入力が、
タップすること、
プレスすること、
スライドすること、または
スワイプすること
のうちの１つまたは複数のジェスチャを含む、請求項１に記載の方法。
【請求項７】
前記第１のユーザ入力が、タップすることを含み、前記第２のユーザ入力が、スワイプすることを含む、請求項１に記載の方法。
【請求項８】
動作可能なソフトウェアを実装する１つまたは複数のコンピュータ可読非一時的記憶媒体であって、前記ソフトウェアは、実行時に、
複数の対話型要素を含む第１のユーザ・インターフェースを、ユーザへの提示のために提供し、
該複数の対話型要素のうちの１つを選択する第１のユーザ入力を受信し、
該複数の対話型要素のうちの選択された１つの対話型要素とのユーザの対話のレベルを判定し、
ここで、ユーザの対話の前記レベルが前記第１のユーザ入力と該複数の対話型要素のうちの１つを選択する以前のユーザ入力との間の時間を含み、
該第１のユーザ入力に応答して、該複数の対話型要素のうちの選択された１つに関連付けられたアニメーションをユーザへの提示のために提供し、
前記第１のユーザ入力と前記以前のユーザ入力との間の時間が所定の閾値を下回ることを決定し、
前記所定の閾値を下回る前記第１のユーザ入力と前記以前のユーザ入力との間の時間に応答して、前記複数の対話型要素のうちの選択された１つの対話型要素上で第２のユーザ入力を実行するためのユーザに対する指示を提示することを決定し、
該複数の対話型要素のうちの該選択された１つの対話型要素上でユーザによって実行された前記第２のユーザ入力を受信し、
該第２のユーザ入力に応答して、該複数の対話型要素のうちの該選択された１つに関連付けられた、前記第１のユーザ・インターフェースとは異なる第２のユーザ・インターフェースを、ユーザへの提示のために提供するように動作可能である、媒体。
【請求項９】
前記第１のユーザ・インターフェースが、
ホーム画面、
ロック画面、
起動画面、または
アプリケーション
のうちの１つまたは複数に関連付けられている、請求項８に記載の媒体。
【請求項１０】
前記第１のユーザ・インターフェースが、ロック画面に関連付けられており、前記第２のユーザ・インターフェースが、前記複数の対話型要素のうちの前記選択された１つに関連付けられたアプリケーションに関連付けられている、請求項８に記載の媒体。
【請求項１１】
前記ソフトウェアが、実行時に、
前記第２のユーザ入力に応答して、パスワード・エントリ・インターフェースをユーザへの提示のために提供するようにさらに動作可能であり、前記第２のユーザ・インターフェースが、ユーザが事前に決めておいたパスワードを入れることに応答してユーザへの提示のために提供される、請求項１０に記載の媒体。
【請求項１２】
前記アニメーションが、前記複数の対話型要素のうちの前記選択された１つをフリップすることを含み、フリップした対話型要素が、ユーザに対するコンピューティング装置に入力を提供するための命令を含む、請求項８に記載の媒体。
【請求項１３】
前記第１のユーザ入力が、
タップすること、
プレスすること、
スライドすること、または
スワイプすること
のうちの１つまたは複数のジェスチャを含む、請求項８に記載の媒体。
【請求項１４】
前記第１のユーザ入力が、タップすることを含み、前記第２のユーザ入力が、スワイプすることを含む、請求項８に記載の媒体。
【請求項１５】
システムであって、
１つまたは複数のプロセッサを含むコンピューティング装置と、
該プロセッサに接続され、該プロセッサによって実行可能な命令を含むメモリと
を備え、
該プロセッサが、該命令の実行時に、
複数の対話型要素を含む第１のユーザ・インターフェースを、ユーザへの提示のために提供し、
該複数の対話型要素のうちの１つを選択する第１のユーザ入力を受信し、
該複数の対話型要素のうちの選択された１つの対話型要素とのユーザの対話のレベルを判定し、
ここで、ユーザの対話の前記レベルが前記第１のユーザ入力と該複数の対話型要素のうちの１つを選択する以前のユーザ入力との間の時間を含み、
該第１のユーザ入力に応答して、該複数の対話型要素のうちの選択された１つに関連付けられたアニメーションを、ユーザへの提示のために提供し、
前記第１のユーザ入力と前記以前のユーザ入力との間の時間が所定の閾値を下回ることを決定し、
前記所定の閾値を下回る前記第１のユーザ入力と前記以前のユーザ入力との間の時間に応答して、前記複数の対話型要素のうちの選択された１つの対話型要素上で第２のユーザ入力を実行するためのユーザに対する指示を提示することを決定し、
該複数の対話型要素のうちの該選択された１つの対話型要素上でユーザによって実行された前記第２のユーザ入力を受信し、
該第２のユーザ入力に応答して、該複数の対話型要素のうちの該選択された１つに関連付けられた、前記第１のユーザ・インターフェースとは異なる第２のユーザ・インターフェースを、ユーザへの提示のために提供するように動作可能である、システム。
【請求項１６】
前記第１のユーザ・インターフェースが、
ホーム画面、
ロック画面、
起動画面、または
アプリケーション
のうちの１つまたは複数に関連付けられている、請求項１５に記載のシステム。
【請求項１７】
前記第１のユーザ・インターフェースが、ロック画面に関連付けられており、前記第２のユーザ・インターフェースが、前記複数の対話型要素のうちの前記選択された１つに関連付けられたアプリケーションに関連付けられている、請求項１５に記載のシステム。
【請求項１８】
ソフトウェアが、実行時に、
前記第２のユーザ入力に応答して、パスワード・エントリ・インターフェースをユーザへの提示のために提供するようにさらに動作可能であり、前記第２のユーザ・インターフェースが、ユーザが事前に決めておいたパスワードを入れることに応答してユーザへの提示のために提供される、請求項１７に記載のシステム。
【請求項１９】
前記アニメーションが、前記複数の対話型要素のうちの前記選択された１つをフリップすることを含み、フリップした対話型要素が、前記コンピューティング装置に入力を提供するためのユーザへの命令を含む、請求項１５に記載のシステム。
【請求項２０】
前記第１のユーザ入力が、
タップすること、
プレスすること、
スライドすること、または
スワイプすること
のうちの１つまたは複数のジェスチャを含む、請求項１５に記載のシステム。